(57)【要約】【課題】蛍光体ホイールとカラーホイールの位相を変化させることで原色比率を調整できる照明装置を提供する。【解決手段】蛍光体ホイールは光源から入射する光を受けて赤色を含む黄色の蛍光光を発する蛍光体層を有するセグメントと、光源からの光が透過する切欠き領域とが回転可能に設けられた基板の回転方向に設けられてなる。カラーホイールは蛍光体ホイールと同期して回転可能に設けられた基板の回転方向に可視光透過領域と、蛍光体ホイールの黄色の蛍光光から赤色を透過するカラーフィルタ領域が設けられてなる。コントローラ２８０は、蛍光体ホイールとカラーフィルタとの位相調整を行ない、黄色の蛍光光から取り出す赤色光の量を調整する。【選択図】図６
2016105122.tif 000002
【特許請求の範囲】
【請求項１】
光源と、
回転可能に設けられた基材の回転方向に複数の第１セグメントを有し、前記複数の第１セグメントのうち少なくとも１つは前記光源から入射する光を受けて蛍光光を発する蛍光体層を有する蛍光体ホイールと、
前記蛍光体ホイールと同期して回転可能に設けられた基材の回転方向に複数の第２セグメントを有し、前記複数の第２セグメントのうち少なくとも１つは前記蛍光体ホイールから入射される蛍光光の波長を制限して出射するカラーフィルタを有するフィルターホイールと、
前記蛍光体ホイールとカラーフィルタとの位相調整を行うコントローラと、を備える、
照明装置。
【請求項２】
前記光源は青色光を発光する青色レーザ光源であり、前記蛍光体ホイールの第１セグメントの１つは前記青色光を透過する光透過領域であって、この光透過領域からなる第１セグメントが前記蛍光体層を有する第１セグメントと隣接配置されており、
前記蛍光体層から発する蛍光光は赤色光を含む黄色光であり、前記カラーフィルタは赤色光と青色光を透過する特性を有し、
前記コントローラは、カラーフィルタに入射される、前記蛍光体層から発する蛍光光と光透過領域を透過する青色光の光量の比率を変えるように位相調整を行う、請求項１に記載の照明装置。
【請求項３】
請求項１または２のいずれかに記載の照明装置と、
前記照明装置から出射された光を変調する光変調素子と、
前記光変調素子から出射された映像光をスクリーンに投写する投写光学系と、
を備えた、映像表示装置。
【発明の詳細な説明】
【技術分野】
【０００１】
本開示は、蛍光体を用いた照明装置およびそれを備えた映像表示装置に関する。
【背景技術】
【０００２】
特許文献１は、２つのホイールを備えた照明装置を開示する。この照明装置は、光源から出射された励起光によって励起されて蛍光を発する蛍光体層が設けられた第１ホイールと、入射する蛍光および励起光のそれぞれについて所望の波長成分の光を出射するフィルターが設けられた第２ホイールとを備える。これにより、小型で明るく効率のよい照明装置を実現できる。
【先行技術文献】
【特許文献】
【０００３】
【特許文献１】特開２０１２−２１２１２９号公報
【発明の概要】
【発明が解決しようとする課題】
【０００４】
本開示は、投写映像における原色比率を調整可能な照明装置およびそれを用いた映像表示装置を提供する。
【課題を解決するための手段】
【０００５】
本開示の照明装置は、光源と、回転可能に設けられた基材の回転方向に複数の第１セグメントを有し、複数の第１セグメントのうち少なくとも１つは光源から入射する光を受けて蛍光光を発する蛍光体層を有する蛍光体ホイールと、蛍光体ホイールと同期して回転可能に設けられた基材の回転方向に複数の第２セグメントを有し、複数の第２セグメントのうち少なくとも１つは蛍光体ホイールから入射される蛍光光の波長を制限して出射するカラーフィルタを有するフィルターホイールと、蛍光体ホイールとカラーフィルタとの位相調整を行うコントローラとを備える。
【発明の効果】
【０００６】
本開示における照明装置は、投写映像における原色比率を調整可能にする。
【図面の簡単な説明】
【０００７】
【図１】実施の形態における映像表示装置の光学系の構成を示す図
【図２】実施の形態における蛍光体ホイールの構成を示す図
【図３】実施の形態におけるフィルターホイールの構成を示す図
【図４】実施の形態におけるフィルターホイールのフィルター特性を示す図
【図５】実施の形態における蛍光体ホイールとフィルターホイールの位相制御装置を示す図
【図６】実施の形態における蛍光体ホイールとフィルターホイールとの第１の位相関係を示す模式図
【図７】実施の形態における蛍光体ホイールとフィルターホイールとの第２の位相関係を示す模式図
【発明を実施するための形態】
【０００８】
以下では、本開示に係る実施形態について、図面を参照しつつ説明を行う。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
以下の実施形態の説明では、映像表示装置の一例としてプロジェクタを挙げて説明するが、実施形態はそれに限定されず、映像表示装置はテレビや他の表示装置などであってもよい。
【００１１】
（実施の形態）
以下、図１〜７を参照して、実施の形態を説明する。
［１−１．構成］
［１−１−１．全体構成］
図１は、本実施の形態に係る映像表示装置１００の構成を示す図である。この例では、映像表示装置１００はプロジェクタである。
【００１２】
映像表示装置１００は、照明装置１０と、映像生成部９０と、映像生成部９０によって生成された映像光をスクリーン（図示せず）へ投写する投写レンズ９８とを備える。
【００１３】
照明装置１０は、映像生成部９０に、均一で略平行光化した光を照射する。照明装置１０の詳細については後述する。
【００１４】
映像生成部９０は、レンズ９２と、全反射プリズム９４と、１枚のＤＭＤ（Ｄｉｇｉｔａｌ  Ｍｉｒｒｏｒ  Ｄｅｖｉｃｅ）９６とを備える。レンズ９２は、ロッドインテグレータ７２の出射面の光をＤＭＤ９６に結像させる機能を有している。レンズ９２を介して全反射プリズム９４に入射した光は、面９４ａによって反射され、ＤＭＤ９６へ導かれる。ＤＭＤ９６は、後述するコントローラによって、複数のミラーそれぞれに入射する各色光のタイミングに合わせ、かつ、入力される映像信号に応じて、制御される。ＤＭＤ９６によって変調されて出射された光（映像光）は、全反射プリズム９４を透過して投写レンズ９８へ導かれる。本実施形態では、ＤＭＤ９６として、対角サイズが例えば０．６７インチのＤＭＤを使用する。ＤＭＤ９６は、光変調素子の一例である。
【００１５】
投写レンズ９８は、時間的に合成された映像光を、装置外部のスクリーン（図示せず）へ投写する。投写レンズ９８のＦナンバーは例えば１．７である。投写レンズ９８は、投写光学系の一例である。
［１−１−２．照明装置の構成］
図１に示すように、照明装置１０は、光源装置１２と、光源装置１２からの出射光を映像生成部９０へと導光する導光光学系７０と、フィルターホイール８０とを備える。
【００１６】
第１のレーザモジュール２０および第２のレーザモジュール２６は、５×５のマトリクス状に配置された、波長４５０ｎｍの青色レーザ光を出力する半導体レーザ素子２２および半導体レーザ素子２８と、半導体レーザ素子の一つ一つに設けられたレンズ２４およびレンズ３０とを備える。レンズ２４およびレンズ３０は、半導体レーザ素子から広がり角を持って出射した光を平行な光束に集光する機能を有している。第１のレーザモジュール２０および第２のレーザモジュール２６は、光源の一例である。
【００１７】
各レーザモジュールからの出射光は、ミラー３２によって空間的に合成される。第１および第２のレーザモジュールの各半導体レーザ素子は、いずれも等間隔に配置されているが、第１のレーザモジュール２０からの出射光と第２のレーザモジュール２６からの出射光は、ミラー３２上で異なる位置に入射されるように、各レーザモジュールの位置が調整されている。そこで、ミラー３２は、第１のレーザモジュール２０からの出射光が入射される領域ではレーザ光に対して高透過となるＡＲ（Ａｎｔｉ‐Ｒｅｆｌｅｃｔｉｏｎ：反射防止）コーティング、第２のレーザモジュール２６からの出射光が入射される領域ではレーザ光に対して高反射となるミラーコーティングが施されている。
【００１８】
ミラー３２によって合成されたレーザ光は、レンズ３４によって集光されながら、重畳される。レンズ３４によって集光された光は、ダイクロイックミラー４０に入射する前に、レンズ３６と拡散板３８を透過する。レンズ３６は、レンズ３４によって集光された光を、再び平行な光束に戻す機能を有し、拡散板３８は、レーザ光の干渉性を低減させるとともに、レーザ光の集光性を調整する機能を有する。
【００１９】
ダイクロイックミラー４０は、カットオフ波長を約４８０ｎｍに設定した色合成素子である。従って、レンズ３６によって略平行光化した光は、ダイクロイックミラー４０によって反射され、蛍光体ホイール１６へ照射される。
【００２０】
蛍光体ホイール１６へと集光されるレーザ光スポットサイズを小さくして光利用効率を向上させるために、蛍光体ホイール１６に照射されるレーザ光は、レンズ４２、４４によって集光される。
【００２１】
図２は、蛍光体ホイール（蛍光体基板）１６の構成を示す図である。図２（ａ）は、図１で示す座標系でＹ方向から見た蛍光体ホイール１６の側面図である。図２（ｂ）は、図２（ａ）の蛍光体ホイール１６を右側から見た平面図である。
【００２２】
蛍光体ホイール１６は、円板形状のアルミ基板１０４を備えている。アルミ基板１０４は、表面に高反射コーティングが施された例えば直径６５ｍｍの円板である。蛍光体ホイール１６は、照射されるレーザ光の光軸に対してアルミ基板１０４の円板面が垂直となるように配置される。アルミ基板１０４はモータ１０２に取り付けられ、回転方向Ｒに沿って回転する（例えば、６０回転／秒）。アルミ基板１０４は、基材の一例である。
【００２３】
上述したように、レーザ光はレンズ４２、４４によって集光されて、円形状のスポット光として蛍光体ホイール１６に照射される。蛍光体ホイール１６のアルミ基板１０４は、このスポット光が照射される円周上の回転方向（周方向）Ｒに沿って、複数のセグメント（領域）を有する。具体的には、蛍光体ホイール１６は、波長４５０ｎｍの光によって主波長が５７０ｎｍの黄色の光を発光する蛍光体が塗布された蛍光体領域１１４と、波長約４５０ｎｍの光によって主波長が５５２ｎｍの緑色の光を発光する蛍光体が塗布された蛍光体領域１１６と、切欠き状になっている切欠き領域１１８とを有する。いずれの蛍光体も、シリコン樹脂と混合した状態で、例えば、幅４ｍｍ、厚み１５０ミクロンで塗布されている。これらの蛍光体が、アルミ基板１０４に塗布されることで、蛍光体層を有する各蛍光体領域が構成されている。また、切欠き領域１１８は、アルミ基板１０４上に設けられた貫通孔である。切欠き領域１１８に照射されるレーザ光は、そのまま反対側へ透過する。すなわち、切欠き領域１１８から出射する光は、青色光となる。蛍光体ホイール１６には、回転方向Ｒに沿って、蛍光体領域１１４、蛍光体領域１１６、切欠き領域１１８が順に隣接配置されている。蛍光体領域１１４、蛍光体領域１１６および切欠き領域１１８は、蛍光体ホイール１６のセグメント構成の一例である。また、切欠き領域１１８は、光を透過する光透過領域の一例である。
【００２４】
蛍光体ホイール１６における、２つの蛍光体領域１１４、１１６と、１つの切欠き領域１１８とが、投写される画像の１フレームの期間（例えば、１／６０秒）に対応している。すなわち、蛍光体ホイール１６に照射された光は、１フレーム期間の中で、蛍光体領域１１４に照射される第１セグメント期間、蛍光体領域１１６に照射される第２セグメント期間、切欠き領域１１８に照射される第３セグメント期間に時間的に分割される。
【００２５】
図１に戻り、第１および第２セグメント期間の間、蛍光体ホイール１６に照射された光は、黄色および緑色の光に変換されて、蛍光体ホイール１６から反射される。これら黄色および緑色の蛍光は、レンズ４４、４２によって平行光化されて、ダイクロイックミラー４０に戻り、ダイクロイックミラー４０を透過する。この黄色光は、波長６２０ｎｍ未満の光（黄色光）と、波長６２０ｎｍ以上の光（赤色光）とを含んだ光である。
【００２６】
一方、第３セグメント期間の間、蛍光体ホイール１６に照射された光は、蛍光体ホイール１６の切欠き領域１１８を透過する。蛍光体ホイール１６を透過した光（すなわち青色光）を、再びダイクロイックミラー４０に戻すために、光路にミラー５０、５２、５８を配置する。また、蛍光体ホイール１６を透過した青色光は、レンズ４２、４４によって集光されているため、レンズ４６、４８によって平行光化すると共に、延長された光路分をリレーするためのレンズ５４と、レーザ光の干渉性を更に低減させるための拡散板５６を光路に配置する。
【００２７】
蛍光体ホイール１６を透過し、光路をリレーされてダイクロイックミラー４０に戻った光は、ダイクロイックミラー４０によって反射される。このようにして、蛍光体ホイール１６を透過した光（青色光）の光路と反射した光（黄色光および黄緑色光）の光路とは、ダイクロイックミラー４０によって空間的に合成される。
【００２８】
ダイクロイックミラー４０によって合成された光は、レンズ６０によって集光され、光源装置１２からの出射光となる。
【００２９】
光源装置１２からの出射光（言い換えると、蛍光体ホイール１６からの光）は、フィルターホイール８０を通過する。
図３は、フィルターホイール８０の構成を示す図である。図３（ａ）は、図１の座標系におけるＹ方向から見たフィルターホイール８０の側面図である。図３（ｂ）は、図３（ａ）のフィルターホイール８０を右側から見た平面図である。
【００３０】
フィルターホイール８０は、円板形状の基板８４を備えている。フィルターホイール８０は、光源装置１２からの光の光軸に対して基板８４の円板面が垂直となるように配置される。基板８４はモータ８０２に取り付けられ、回転方向Ｒに沿って回転する（例えば、６０回転／秒）基板８４は、基材の一例である。
【００３１】
フィルターホイール８０の基板８４は、光源装置１２からの出射光が照射される円周上の回転方向（周方向）に沿って、複数のセグメント（領域）を有する。具体的には、フィルターホイール８０は、可視光透過領域８１２と、カラーフィルタ領域８１４とを有する。可視光透過領域８１２は、可視光全域にわたって高透過であるガラス基板により構成される領域である。
【００３２】
図４はカラーフィルタ領域８１４の透過特性を示す図である。カラーフィルタ領域８１４は、波長４６０ｎｍ以上６００ｎｍ未満の光に対して高反射かつ波長４６０ｎｍ未満および６００ｎｍ以上の可視域の光に対して高透過であるカラーフィルタ基板により構成される領域である。すなわち、カラーフィルタ領域８１４は、蛍光体領域１１４からの黄色光のうち、６００ｎｍ未満の黄色光１１４Ｙに対して光反射かつ、蛍光体領域１１４からの黄色光のうち、この黄色光に含まれる６００ｎｍ以上の赤色光１１４Ｒと、切欠き領域１１８からの青色光１１８Ｂに対して高透過である。
【００３３】
なお、上記ガラス基板とカラーフィルタ基板とは別々に形成されていてもよいし、一体に形成されていてもよい。可視光透過領域８１２、カラーフィルタ領域８１４は、第２セグメントの一例である。
【００３４】
蛍光体ホイール１６とフィルターホイール８０とは、同じ回転数で同期して回転制御される。すなわち、フィルターホイール８０における、可視光透過領域８１２とカラーフィルタ領域８１４、８１６とが、投写される画像の１フレームの期間（例えば、１／６０秒）に対応している。
【００３５】
フィルターホイール８０を通過した光は、ロッドインテグレータ７２へと入射される。ロッドインテグレータ７２は、入射面７２ａおよび出射面７２ｂを備えている。ロッドインテグレータ７２の入射面７２ａに入射した光源装置１２からの光は、ロッドインテグレータ７２内で照度がより均一化され、出射面７２ｂから出射する。出射面７２ｂから出射した光は、レンズ７４、７６にリレーされ、照明装置１０からの出力光となって、映像生成部９０に入射する。以上のように、照明装置１０は、各種のレンズ、ミラーなどの光学部品を備える。
［１−１−３．蛍光体ホイールとフィルターホイールの構成］
本実施の形態では、照明装置１０は、時間的に切り替わる赤色光、緑色光、青色光、黄色光の４色の光を出力する。これらの光は、各レーザモジュールから出射するレーザ光から、蛍光体ホイール１６とフィルターホイール８０との作用によって生成される。以下、４色の光を生成するための各ホイールの構成について説明する。
【００３６】
蛍光体ホイール１６とフィルターホイール８０は、同じ回転数で同期して回転制御される。つまり、蛍光体ホイール１６上の各セグメント上の位置と、フィルターホイール８０上の各セグメント上の位置とが、互いに対応している。このため、スポット光が蛍光体ホイール１６上のあるセグメント上のある位置に照射されて生成される蛍光、または透過光は、基本的にフィルターホイール８０上の特定セグメント上の特定位置に照射される。
【００３７】
照明装置１０が発する赤色光は、赤色蛍光体から生成されるのではなく、蛍光体ホイール１６にて生成される黄色蛍光体からの黄色光に対し、フィルターホイール８０のカラーフィルタ領域８１４にて短波長成分を除去することにより生成される。すなわち、照明装置１０は、赤色光と黄色光とを同一の黄色蛍光体から生成している。本実施の形態では、黄色光を生成する蛍光体として、セリウム付活ガーネット構造蛍光体（Ｙ３Ａｌ５Ｏ１２：Ｃｅ３＋）を使用した。また、緑色光は、蛍光体ホイール１６の蛍光体領域１１６にて生成される。緑色光を生成する蛍光体としては、組成の異なる別のセリウム付活ガーネット構造蛍光体（Ｌｕ３Ａｌ５Ｏ１２：Ｃｅ３＋）を使用した。また、青色光は、蛍光体ホイール１６の切欠き領域１１８を通過するレーザ光で構成される。
［１−２．動作］
以上のように構成された映像表示装置１００について、その動作を以下説明する。
【００３８】
映像表示装置１００において、照明装置１０は、時間的に切り替わる赤色光、緑色光、青色光、黄色光の４色の光を出力する。映像生成部９０は、照明装置１０からの光から映像光を生成する。投写レンズ９８は、生成された映像光をスクリーンへ投写する。コントローラは、映像生成部９０のＤＭＤ９６と、照明装置１０の各ホイールとを同期して制御する。コントローラは、入力される映像信号に基づいて、各色光に対応した映像光を生成するように、ＤＭＤ９６を制御する。これにより、スクリーンへは、時分割に各色の映像光が投写される。ユーザは、スクリーンに投写される映像光を連続的に見ることで、映像として視認する。
【００３９】
図５に蛍光体ホイールとフィルターホイールの位相制御装置を示す。図５において、図１と同一部分には同一符号を付している。また、光源２１０は、第１レーザモジュール２０、第２のレーザモジュール２６及びこれらのレーザモジュールからの光を蛍光体ホイール１６に照射する構成に対応している。また、光学系１（２２０）は蛍光体ホイール１６から出射される光をフィルターホイール８０に導く光学系を示している。光学系２（２３０）はフィルターホイール８０から出射される光をＤＭＤ９６に導く光学系に対応している。投写光学系２４０は、投写レンズ９８に対応している。
【００４０】
蛍光体ホイール１６とフィルターホイール８０の回転角度は、位相センサー２５０で検知される。蛍光体ホイール１６を回転駆動する蛍光体ホイール駆動部２６０と、フィルターホイール８０を回転駆動するフィルターホイール駆動部２７０とは、コントローラ２８０によって制御され、蛍光体ホイール１６とフィルターホイール８０を同じ回転数で同期して回転制御する。
【００４１】
コントローラ２８０は、モード切替部２９０をユーザが操作することによって、同期して回転する蛍光体ホイール１６とフィルターホイール８０の位相を変化させることができる。つまり、蛍光体ホイール１６とフィルターホイール８０は、複数の位相関係の組み合わせを持つことができる。
【００４２】
図６は、ユーザがモード切替部２９０を操作することによって、蛍光体ホイール１６とフィルターホイール８０が第１の位相関係に設定されたときの状態を示す模式図である。図６は説明の便宜上、蛍光体ホイール１６とフィルターホイール８０とを同一平面上に同心に配置した様子を示している。図において、蛍光体ホイール１６の外周側にフィルターホイール８０が配置されている。また、蛍光体ホイール１６とフィルターホイール８０との対応する位置が同じ角度になるように配置されている。
【００４３】
蛍光体ホイール１６の蛍光体領域１１６の領域を領域Ｇ１とする。領域Ｇ１において、蛍光体ホイール１６から出射する光は、蛍光体領域１１６が発する緑色光となる。この緑色光がフィルターホイール８０の可視光透過領域８１２を透過する。したがって、各ホイールの領域Ｇ１に光が照射されるとき、照明装置１０は緑色光を出力する。
【００４４】
蛍光体ホイール１６の切欠き領域１１８の領域を領域Ｂ１とする。領域Ｂ１のうち、フィルターホイール８０の可視光透過領域８１２を透過する領域を領域ＢＸ１、カラーフィルタ領域８１４を通過する領域を領域ＢＹ１とする。領域ＢＸ１において、蛍光体ホイール１６から出射する光は、切欠き領域１１８を透過する青色光となる。この青色光がフィルターホイール８０の可視光透過領域８１２を透過する。したがって、各ホイールの領域ＢＸ１に光が照射されるとき、照明装置１０は青色光を出力する。領域ＢＹ１において、蛍光体ホイール１６から出射する光は、切欠き領域１１８を透過する青色光となる。この青色光がフィルターホイール８０のカラーフィルタ領域８１４を通過する。カラーフィルタ領域８１４は、青色光を透過する特性を持つ。したがって、各ホイールの領域ＢＹ１に光が照射されるとき、照明装置１０は青色光を出力する。領域ＢＸ１とＢＹ１は同じ色であり、即ち、各ホイールの領域Ｂ１に光が照射されるとき、照明装置１０は青色光を出力する。
【００４５】
蛍光体ホイール１６の蛍光体領域１１４のうち、フィルターホイール８０のカラーフィルタ領域８１４がかかる領域を領域Ｒ１とする。領域Ｒ１において、蛍光体ホイール１６から出射する光は、蛍光体領域１１４が発する黄色光となる。この黄色光がフィルターホイール８０のカラーフィルタ領域８１４によって波長６００ｎｍ未満の光を除去され、赤色光となって出射する。したがって、各ホイールの領域Ｒ１に光が照射されるとき、照明装置１０は赤色光を出力する。
【００４６】
蛍光体ホイール１６の蛍光体領域１１４のうち、フィルターホイール８０の可視光透過領域８１２がかかる領域を領域Ｙ１とする。領域Ｙ１において、蛍光体ホイール１６から出射する光は、蛍光体領域１１４が発する黄色光となる。この黄色光がフィルターホイール８０の可視光透過領域８１２を透過する。したがって、各ホイールの領域Ｙ１に光が照射されるとき、照明装置１０は黄色光を出力する。
【００４７】
ここで、モード切替部２９０をユーザが操作することにより、コントローラ２８０はフィルターホイール８０のカラーフィルタ領域８１４が、蛍光体ホイール１６の蛍光体領域１１４に重なる割合を変化させる。図７は、ユーザがモード切替部２９０を操作することによって、蛍光体ホイール１６とフィルターホイール８０が第２の位相関係に設定されたときの状態を模式的に示している。
【００４８】
図６と同様に、照明装置１０が緑色光を出力する領域をＧ２、青色光を出力する領域をＢ２、赤色光を出力する領域をＲ２、黄色光を出力する領域をＹ２とする。
【００４９】
第２の位相組み合わせにおいて、領域Ｂ２の大きさは、第１の位相組み合わせにおける領域Ｂ１の大きさと等しくなる。このとき、切欠き領域１１８から透過する光が、フィルターホイール８０の可視光透過領域８１２を透過する範囲が領域ＢＸ２と増大し、その増大した分、切欠き領域１１８から透過する光がカラーフィルタ領域８１４を通過する範囲が領域ＢＹ２と減少する。よって、第２の位相関係にすることで、原色である赤色光を出力する領域を増加させることができる。
【００５０】
以上のように、照明装置１０は、蛍光体ホイール１６とフィルターホイール８０の位相組み合わせをコントローラ２８０で制御することによって、原色の赤色光と補色の黄色光の割合を調整することができる。
［１−３．効果等］
以上のように、本実施の形態において、フィルターホイール８０のカラーフィルタ領域８１４が、蛍光体ホイール１６の蛍光体領域１１４に重なる割合を調整することで、原色である赤色と補色である黄色の割合を調整することができる。そのため、補色である黄色光の割合が多い、明るさ重視のモードと、原色である赤色の割合が多い、鮮やかさ重視のモードを両立させることができる。
【００５１】
（他の実施の形態）
以上のように、本出願において開示する技術の例示として、実施の形態を説明した。しかしながら、本開示における技術は、これに限定されず、変更、置き換え、付加、省略などを行った実施の形態にも適用できる。また、上記実施の形態で説明した各構成要素を組み合わせて、新たな実施の形態とすることも可能である。
【００５２】
そこで、以下、他の実施の形態を例示する。
【００５３】
上記実施の形態では、光変調素子の一例としてＤＭＤ９６を説明した。光変調素子は、照明装置から出射された光を変調して映像光を出力する素子であればよい。したがって、光変調素子は、ＤＭＤ９６に限定されない。例えば、光変調素子は、反射型液晶パネルや、透過型液晶パネルで構成されていてもよい。
【００５４】
上記実施の形態では、フィルターホイールをロッドインテグレータ７２の入射面側に配置しているが、ロッドインテグレータ７２の出射面側に配置しても良い。
【００５５】
上記実施の形態では、５×５のマトリクス状に配置された半導体レーザ素子により構成されるレーザモジュールを例示したが、半導体レーザ素子の数および配置はこれに限定されるものではなく、半導体レーザ素子一つ当たりの光強度や、光源装置に所望される出力などに応じて適宜設定すればよい。また、レーザ光の波長も４５０ｎｍに限定されるものではなく、例えば、４０５ｎｍの光を出力する紫色半導体レーザ素子や、４００ｎｍ以下の紫外線光を出力する半導体レーザ素子などを用いてもよい。
【００５６】
上記実施の形態では、青色のレーザ光によって、セリウム付活ガーネット構造蛍光体を励起し、黄色および緑色を主波長とする光を発光する構成を例示したが、赤色や青緑色を主波長とする光を発光させる蛍光体を用いてもよい。
【００５７】
光変調素子サイズ、光学系のＦナンバー、蛍光体の種類、蛍光体に入射されるレーザ光強度に応じて、蛍光体上のレーザ光スポット径の最適値は多少変動するため、映像表示装置の仕様に応じて、上記の実施形態で示したパラメータの最適化手法に基づき、適宜最適な値を設定することができる。
【産業上の利用可能性】
【００５８】
本技術は、蛍光体を用いた照明装置およびそれを備えた映像表示装置に適用可能である。具体的には、プロジェクタのほか、テレビジョン受信機などに、本技術は適用可能である。
【符号の説明】
【００５９】
１０  照明装置
１２  光源装置
１６  蛍光体ホイール
２０、２６  レーザモジュール
２２、２８  半導体レーザ素子
２４、３０、３４、３６、４２、４４、４６、５４、６０、７４、９２  レンズ
３２、５０  ミラー
３８、５６  拡散板
４０  ダイクロイックミラー
７０  導光光学系
７２  ロッドインテグレータ
８０  フィルターホイール
９０  映像生成部
９４  全反射プリズム
９４ａ  面
９６  ＤＭＤ
９８  投写レンズ
１０２  モータ
１０４  アルミ基板
１１４、１１６  蛍光体領域
１１８  切欠き領域
２８０  コントローラ
８０２  モータ
８１２  可視光透過領域
８１４  カラーフィルタ領域
１００  映像表示装置
【図１】
2016105122.tif 000003
【図２】
2016105122.tif 000004
【図３】
2016105122.tif 000005
【図４】
2016105122.tif 000006
【図５】
2016105122.tif 000007
【図６】
2016105122.tif 000008
【図７】
2016105122.tif 000009